(57)【要約】【課題】排水管の外径変動や若干の勾配変動がある場合にも、接続部の止水性に優れ、また、排水管継手が大きくなく、外観上、目立つことがない上、コストアップせず、取付作業に手間がかかることのない排水管継手を提供する。【解決手段】建物の壁面に突設された排水管５と、建物の壁面に沿って配設された竪樋６とを接続する排水管継手Ｆであって、継手本体１の一端部に排水管５の端部が挿入接続される受口部１１を有し、継手本体１の他端部に竪樋６の端部が挿入接続される接続部１２を有し、受口部１１の内周面に環状の弾性シール材３が設置されており、この弾性シール材３の最小内径が排水管５の外径より小さくされていることを特徴とする排水管継手１。【選択図】  図３
2004339687.tif 000002
【特許請求の範囲】
【請求項１】
建物の壁面に突設された排水管と、建物の壁面に沿って配設された竪樋とを接続する排水管継手であって、継手本体の一端部に前記排水管の端部が挿入接続される受口部を有し、継手本体の他端部に竪樋の端部が挿入接続される接続部を有し、前記受口部の内周面に環状の弾性シール材が設置されており、この弾性シール材の最小内径が前記排水管の外径より小さくされていることを特徴とする排水管継手。
【請求項２】
継手本体の形状がエルボ型である請求項１記載の排水管継手。
【発明の詳細な説明】
【０００１】
【発明の属する技術分野】
本発明は、コンクリート建物の屋上や住宅のバルコニーなどに降った雨水を竪樋に排水するために使用され、特に、排水管と竪樋との接続に使用される排水管継手に関する。
【０００２】
【従来の技術】
従来、コンクリート建物の屋上などに降った雨水を竪樋に排水するために使用される排水管継手（集水桝あるいは排水桝とも呼ばれている）として、その施工性、止水性の観点から色々な種類のものが提案されている。
【０００３】
接続構造面での要求としては、メンテナンス上、排水パイプとは接着することは避けることが望ましい。仮に、接着した場合は、排水管には勾配がついており、場合によってはこの勾配は若干変動するので、排水管継手に竪樋がまっすぐ取り付けられない場合が起きると不都合である。
【０００４】
このような問題点を解決するものとして、建物の外壁面に突設される排水管の外側に、取付筒体を被嵌して該取付筒体を同外壁面に固定し、同取付筒体の外側に、排水ます本体より側方へ突設される接続筒体を嵌合接続してなる排水ます取付装置において、取付筒体と排水管との間隔に同間隔を密閉するパッキン材を介設すると共に、取付筒体の壁側の内周縁に全周に亘る内鍔凸起を突設してなる排水ます取付装置が記載されている（例えば特許文献１参照）。
【０００５】
この排水ます取付装置は、排水管の外径変動があることも考慮して、取付筒体と排水管との間隔に同間隔を密閉するパッキン材を介設し、止水性を保つようにするものである。
【０００６】
【特許文献１】
実用新案登録第２５５５７４７号公報（第１頁〜第４頁）
【０００７】
【発明が解決しようとする課題】
しかし、上記の特許文献１に開示されている排水ます取付装置は、取付筒体を被嵌して該取付筒体を同外壁面に固定し、同取付筒体の外側に、排水ます本体より側方へ突設される接続筒体を嵌合接続してなる排水ますを取り付ける構造を取っており、全体が大きくなり、外観上、目立つ上、経済的にも望ましくないものであった。
【０００８】
また、例えば住宅のバルコニーに降った雨水を排水させるには、バルコニーの床下に突出させた排水管の下端を、ポーチドレンおよびエルボを介して呼び樋（竪樋）の上端と接続するようにしている。この場合、ポーチドレンとエルボの２つの部材が必要であり、配管接続作業も時間がかかるという問題もあった。
【０００９】
本発明の目的は、排水管の外径変動や若干の勾配変動がある場合にも、接続部の止水性に優れ、また、排水管継手が大きくなく、外観上、目立つことがない上、コストアップせず、取付作業に手間がかかることのない排水管継手を提供することである。
【００１０】
本発明の他の目的は、１つの部材でもって、従来のポーチドレンとエルボとの両方の機能を備えている排水管継手を提供することである。
【００１１】
【課題を解決するための手段】
請求項１記載の発明は、建物の壁面に突設された排水管と、建物の壁面に沿って配設された竪樋とを接続する排水管継手であって、継手本体の一端部に前記排水管の端部が挿入接続される受口部を有し、継手本体の他端部に竪樋の端部が挿入接続される接続部を有し、前記受口部の内周面に環状の弾性シール材が装着されており、この弾性シール材の最小内径が前記排水管の外径より小さくされていることを特徴とする排水管継手である。
【００１２】
このように、継手本体の一端部に前記排水管の端部が挿入接続される受口部を有し、継手本体の他端部に竪樋の端部が挿入接続される接続部を有し、前記受口部の内周面に環状の弾性シール材が装着され、この弾性シール材の最小内径が前記排水管の外径より小さくされていることにより、排水管の外径変動や若干の勾配変動がある場合にも、接続部の止水性に優れ、また、排水管継手が大きくなく、外観上、目立つことがない上、コストアップせず、取付作業に手間がかかることのない排水管継手を提供することができる。
【００１３】
また、請求項２記載の発明は、継手本体の形状がエルボ型である請求項１記載の排水管継手である。
【００１４】
このように、継手本体の形状がエルボ型であることにより、継手本体の受口部をバルコニーの床下に突出している排水管の下端部に接続し、継手本体の接続部を呼び樋（竪樋）の上端部と接続することで、作業性よく配管接続することができる。そして、住宅のバルコニーに降った雨水を排水することができる。このように、従来のようにポーチドレンとエルボの２つの部材を必要とすることなく、一つの排水管継手で配管接続することができ、コスト的にも安価となる。
【００１５】
本発明の排水管継手の材質は、合成樹脂、金属が使用されるが、軽量、防錆の点で合成樹脂がよく、合成樹脂の中でも、硬質塩化ビニル樹脂が好ましい。
【００１６】
本発明の排水管継手は、継手本体の一端部に排水管の端部が挿入接続される受口部を有し、継手本体の他端部に竪樋の端部が挿入接続される接続部を有し、前記受口部の内周面に環状の弾性シール材が設置されている。そして、この弾性シール材の最小内径が前記排水管の外径より小さくされている。
【００１７】
環状の弾性シール材の材質はエチレン−プロピレン−ジエン三次元共重合体（ＥＰＤＭ）、シリコーンゴム、発泡ポリウレタンなどが挙げられる。
【００１８】
受口部の内周面に装着された環状の弾性シール材は、シール材抜止リングにより受口部から脱落しない様にされる。シール材抜止リングは、受口部端部に接着剤やねじによる固定がなされる。
【００１９】
排水管の端部が挿入接続される受口部は、排水管の外径変動や若干の勾配変動がある場合にも、接続部の止水性に優れる構造とするのが好ましい。例えば、受口部の内径が排水管の端部の外径より大きく、かつ環状の弾性シール材と、受口部の内周面と、排水管の端部の管外周面とが密着する構造とする。この点から、弾性シール材の圧縮率、形状、材質が適宜設計される。
【００２０】
【発明の実施の形態】
以下、本発明の実施の形態を図面に基づいて詳細に説明する。
図１は、本発明の排水管継手の第一実施例を示す斜視説明図であり、図２は図１の縦断面図であり、図３は図１の排水管継手の使用状態を示す断面説明図である。
【００２１】
図１及び図２に示すように、排水管継手Ｆは、逆Ｌ字型の継手本体１の一端部に受口部１１を有し、他端部に接続部１２を有している。この排水管継手Ｆは硬質塩化ビニル樹脂製のもので、受口部１１は円筒管状で、建物の外壁面に突設された排水管５が挿入接続されるようにされており、また、接続部１２は四角筒体で、建物の外壁面に沿って配設された竪樋６と接続されるようになっている。
【００２２】
なお、受口部１１は、継手本体１に対して、排水管５の勾配とほぼ同じ勾配に、すなわち、外側に若干斜め上方に向けてＹ型に設置されてもよい。
【００２３】
図３に示すように、受口部１１は排水管５が当接したとき、排水管が挿入接続され、止水性が保たれるように、弾性シール材３が受口部の内周面に設置され、抜止リング２により受口部から脱落しないように設置される。抜止リング２は、例えば、受口部１１の端部に接着固定される。なお、抜止リング２は嵌合固定、螺合固定などの固定手段を採用することで、受口部１１に対して着脱自在に固定するのが望ましい。
【００２４】
尚、弾性シール材３の断面形状は、図６の（ａ）に示す円形、（ｂ）に示す矩形、（ｃ）に示す三角形、（ｄ）に示す舌状（リップ型）等の他、これらを組み合わせた形等、適宜のものが選択される。
【００２５】
排水管５は受口部１１に挿入接続される。この受口部１１は、排水管５の外径変動や若干の勾配変動がある場合にも、接続部の止水性に優れる構造とされている。つまり、受口部１１の管内径が排水管５の端部の外径より大きいが、この場合、クリアランスは挿入に必要な最小レベルとされると共に、環状の弾性シール材３と、受口部１１の内周面と、排水管５の端部の管外周面とが密着する構造とされている。
【００２６】
図４は、本発明の排水管継手の第二実施例を示す斜視説明図であり、図５は図４の排水管継手の使用状態を示す断面説明図である。
この場合、排水管継手Ｆは、継手本体１の形状が９０度エルボ型のものである。  継手本体１の一端部に排水管の受口部１１を有し、他端部に竪樋の端部が挿入接続される接続部１２を有している点、および前記受口部の内周面に環状の弾性シール材３が設置されて点などは、図１、２における排水管継手Ｆと同様である。
【００２７】
つぎに、排水管継手Ｆの使用状態を説明する。
図５に示すように、バルコニー（図示せず）の床下に突出している排水管５の下端部に継手本体１の受口部１１を接続し、つぎに、継手本体１の接続部１２に呼び樋（竪樋）６の水上側端部を接着接続することで、排水管５と呼び樋６との間を配管接続することができる。この場合、受口部１１がゴム輪方式の受口とされているので、排水管５の下端部の外側に継手本体１の受口部１１を差し込むだけで簡単に作業性よく接続作業を行える。また、一つの排水管継手で配管接続することができ、コスト的に安価となる。
【００２８】
【発明の効果】
以上、説明してきたように、請求項１記載の本発明の排水管継手は、建物の壁面に突設された排水管と、建物の壁面に沿って配設された竪樋とを接続する排水管継手であって、継手本体の一端部に前記排水管の端部が挿入接続される受口部を有し、継手本体の他端部に竪樋の端部が挿入接続される接続部を有し、前記受口部の内周面に環状の弾性シール材が装着されており、この弾性シール材の最小内径が前記排水管の外径より小さくされているので、排水管の外径変動や若干の勾配変動がある場合にも、接続部の止水性に優れ、また、サイズが大きくなくて、外観上、目立つことがない上、コストアップせず、取付作業に手間がかかることのないものである。
【００２９】
また、請求項２記載の本発明の排水管継手は、継手本体の形状がエルボ型であるので、継手本体の受口部をバルコニーの床下に突出している排水管の下端部に接続し、継手本体の接続部を呼び樋（竪樋）の上端部と接続することで、作業性よく配管接続することができる。そして、住宅のバルコニーに降った雨水を排水することができる。このように、従来のようにポーチドレンとエルボの２つの部材を必要とすることなく、一つの排水管継手で配管接続することができ、コスト的にも安価となる。
【図面の簡単な説明】
【図１】本発明の排水管継手の第一実施例を示す斜視説明図である。
【図２】図１の縦断面図である。
【図３】図１の排水管継手の使用状態を示す断面説明図である。
【図４】本発明の排水管継手の第二実施例を示す斜視説明図である。
【図５】図４の排水管継手の使用状態を示す断面説明図である。
【図６】本発明の排水管継手に使用される弾性シール材を示す断面である。
【符号の説明】
Ｆ  排水管継手
１  継手本体
１１  受口部
１２  接続部
２  シール材抜止リング
３  弾性シール材
５  排水管
６  竪樋
【図１】
2004339687.tif 000003
【図２】
2004339687.tif 000004
【図３】
2004339687.tif 000005
【図４】
2004339687.tif 000006
【図５】
2004339687.tif 000007
【図６】
2004339687.tif 000008